(57)【特許請求の範囲】
【請求項１】
上下方向と、その上下方向に直交する幅方向とを有し、
肌に接触させる第１表面シートと前記第１表面シートの反対側に位置する第２表面シートとの間に発熱体が介在しており、前記第１、第２表面シートの少なくとも一方が酸素透過性であり、前記発熱体が酸素を供給されると発熱するものであり、鼻を覆うように顔面の肌に接触させて使用する加温体であって、
前記第１、第２表面シートと前記発熱体とを含む加熱部およびシート材料として少なくとも前記第１、第２表面シートが重ねられていて前記発熱体を含むことのない薄肉シート部である非加熱部によって前記加温体が形成されており、
前記薄肉シート部には、前記上下方向に延びる中心線に沿った中央変形部と、前記中心線の両側のそれぞれにおいて、下方から上方に向けて前記中心線に対する離間寸法が徐々に小さくなるように傾斜する態様で延びる側方変形部とが含まれ、
前記加熱部には、前記中央変形部と前記側方変形部とのそれぞれの間に位置する内側加熱部が含まれ、
前記中央変形部には、前記第１、第２表面シートの間を貫通する通気部が形成され、前記通気部が装着者の鼻孔に通じることを特徴とする前記加温体。
【請求項２】
前記中心線は、前記幅方向の寸法を二等分するものであり、
前記中心線に関して対称に形成されている請求項１記載の加温体。
【請求項３】
前記通気部は、前記中心線に沿う方向の長さ寸法が少なくとも２０ｍｍである請求項２記載の加温体。
【請求項４】
前記通気部は、前記非加熱部を所要の寸法で切除することにより形成されている請求項１ないし３のいずれかに記載の加温体。
【請求項５】
前記通気部は、前記非加熱部にスリットを入れることにより形成されている請求項１ないし３のいずれかに記載の加温体。
【請求項６】
前記通気部は、複数の透孔および複数のスリットの少なくとも一方により形成されている請求項１ないし３のいずれかに記載の加温体。
【発明の詳細な説明】
【技術分野】
【０００１】
本発明は、顔面に接触させて、顔面の肌に適度な熱を与えるのに好適な加温体に関する。
【背景技術】
【０００２】
身体に装着して肌を温める加温体として、以下の特許文献１に記載のものがある。特許文献１に記載の加温体は、金属紛と水分および塩類を含む発熱体を有している。酸素と水蒸気を透過する透湿性外袋の内部に発熱体が収納されており、肌に向けられる側では、透湿性外袋と発熱体との間に、織布、不織布、紙、多孔性フィルム、穿孔を有する発泡プラスチックなどで形成された温度調節材が介在している。【０００３】
加温体が密封袋から取り出されると、透湿性外袋と温度調節材を通して酸素が発熱体に与えられ、発熱体が金属紛の酸化反応によって発熱して発熱体内の水分が蒸発し、水蒸気となって温度調節材および透湿性外袋を通過して肌に与えられる。【０００４】
また、以下の特許文献２にも同様の加温体が開示されている。特許文献２に記載の加温体は、ほぼ正方形の２つの発熱体の表面に、紙および不織布から成る温度調整材が重ねられ、さらにこれらが透湿性不織布の外袋内に収納されている。この加温体は、２つの発熱体の部分を両目に対向させながら顔面に装着し、目に水蒸気を与えるというものである。
【特許文献１】特開平１１−３４２１４７号公報
【特許文献２】特開２００２−７８７２８号公報
【発明の開示】
【発明が解決しようとする課題】
【０００５】
しかし、前記特許文献１および特許文献２に記載の加温体は、透湿性の外袋の内部に水蒸気を発生する発熱体が収納された構造であるため、顔面以外の身体のいずれかの箇所に装着したり、特許文献２に記載のように両目と対向する位置に装着することができるが、口および鼻の双方を覆う位置に装着して使用することが難しい。前記加温体を口および鼻の双方を覆うように装着すると、口および鼻と加温体との間に熱が溜まりまた熱せられた水蒸気が留まるようになって息苦しくなる。【０００６】
したがって前記従来の発熱体は、目に当てたり片方の頬に部分的に当てて使用することができても、顔面の下方のほぼ半分の領域に当てて、目の真下から両頬にかけての広い範囲を加湿するような使用方法には不向きである。【０００７】
本発明は上記従来の課題を解決するものであり、口および鼻を覆うようにして使用したときの息苦しさを低減できる加温体の提供を目的としている。
【課題を解決するための手段】
【０００８】
本発明は、上下方向と、その上下方向に直交する幅方向とを有し、肌に接触させる第１表面シートと前記第１表面シートの反対側に位置する第２表面シートとの間に発熱体が介在しており、前記第１、第２表面シートの少なくとも一方が酸素透過性であり、前記発熱体が酸素を供給されると発熱するものであり、鼻を覆うように顔面の肌に接触させて使用する加温体を前提とする。
本発明の特徴は、前記第１、第２表面シートと前記発熱体とを含む加熱部およびシート材料として少なくとも前記第１、第２表面シートが重ねられていて前記発熱体を含むことのない薄肉シート部である非加熱部によって前記加温体が形成されており、前記薄肉シート部には、前記上下方向に延びる中心線に沿った中央変形部と、前記中心線の両側のそれぞれにおいて、下方から上方に向けて前記中心線に対する離間寸法が徐々に小さくなるように傾斜する態様で延びる側方変形部とが含まれ、前記加熱部には、前記中央変形部と前記側方変形部とのそれぞれの間に位置する内側加熱部が含まれ、前記中央変形部には、前記第１、第２表面シートの間を貫通する通気部が形成され、前記通気部が装着者の鼻孔に通じることである。
【０００９】
本発明の加温体は、発熱体が存在していない非加熱部に通気部が形成されているため、加温体を顔面の広い範囲を覆う大きいものにしても、その通気部を通して呼吸することにより息苦しさを感じることがない。【００１０】
本発明は、好ましくは、前記中心線は、前記幅方向の寸法を二等分するものであり、前記中心線に関して対称に形成されている。
【００１１】
中心線に沿う中央領域に非加熱部を設け、この非加熱部に通気部を形成すると、通気部を口許や鼻孔に対向する位置またはその近傍に位置させることができ、顔面を温めているときでも、呼吸が容易である。【００１２】
本発明において、通気部は、中心線に沿う方向の長さ寸法が、好ましくは、少なくとも２０ｍｍである。【００１３】
通気部の長さ寸法が少なくとも２０ｍｍであると、通気部を口と鼻孔の双方へ向けることが可能となり、呼吸が極めて容易になる。【００１４】
本発明において、通気部は、非加熱部を所要の寸法だけ切削することにより形成することができる。また、通気部は非加熱部にスリットを入れることにより形成することもできる。【００１５】
さらに、通気部は、非加熱部に複数の透孔または複数のスリットを設けることにより形成することも可能である。
【発明の効果】
【００１６】
本発明の加温体は、口許および鼻孔を覆うように使用しても、呼吸が容易で息苦しさを感じることがない。したがって、一度で顔面の広い範囲を加温することができる。
【図面の簡単な説明】
【００１７】
【図１】本発明の実施の形態の加温体を肌側表面から示したときの加温体の正面図。
【図２】図１のＩＩ−ＩＩ線の断面図。
【図３】図２の加温体の構成要素を示す分解断面図。
【図４】実施の形態の他の一例である加温体の構成要素を示す分解断面図。
【図５】図２の部分拡大断面図。
【図６】顔面に対して使用された状態の加温体の正面図。
【図７】顔面に対して使用された状態の加温体の側面図。
【図８】（ａ）ないし（ｅ）によって通気部の形態を例示する図。
【図９】（ａ）ないし（ｅ）によって通気部の他の形態を例示する図。
【符号の説明】
【００１８】
１  加温体
４  第１表面シート
５  第２表面シート
１１  加熱部（右内側加熱部）
１２  加熱部（左内側加熱部）
１３  加熱部（右外側加熱部）
１４  加熱部（左外側加熱部）
１５  非加熱部（薄肉シート部）
１６  非加熱部（中央変形部）
１７  非加熱部（右側方変形部）
１８  非加熱部（左側方変形部）
２７、２７Ａ〜２７Ｊ  通気部
３１  発熱体
Ｏ  中心線
【発明を実施するための最良の形態】
【００１９】
図１は本発明の実施の形態である加温体を第１表面シートが手前になるようにして示す加温体の正面図、図２は図１に示す加温体のＩＩ−ＩＩ線での部分断面図、図３と図４は各実施態様の加温体の構造を示す分解断面図、図５は図２の一部を拡大した拡大部分断面図、図６と図７は、加温体を顔面に当てたときの状態を示す図である。【００２０】
図１に示す加温体１は、顔に当てて、蒸しタオルのようにして使用するものの一例であって、手前に向けられている側が肌側表面２であり、これと反対の側が非肌側表面３である（図２を併せて参照）。この加温体１は、肌側表面２を肌に当てて使用するものである。そのため、肌側表面２と非肌側表面３とで、外部から見たときの色や色調のいずれかに違いをつけておくことが好ましい。例えば、肌側表面２を薄い水色、黄色、赤色など白色以外の色とし、非肌側表面３を白色にしておくと、使用者は着色されている側が肌側表面２であると認識しやすくなる。【００２１】
この加温体１は、図６および図７に示すように、顔面の面積の半分近くを覆うことができるものであることが好ましい。中心線Ｏ−Ｏに沿う方向の長さ寸法は、少なくとも目の下から口までを覆えるように８０ｍｍ以上で、さらに好ましくは１００ｍｍ以上であるが、その最大値は例えば１８０ｍｍ以下である。また、中心線Ｏ−Ｏと直交する方向での幅寸法は、両頬を同時に覆うことができるように１５０ｍｍ以上で、好ましくは２００ｍｍ以上であるが、その最大値は例えば３２０ｍｍ以下である。【００２２】
図１において、この加温体１は、顔の上下方向に一致する上下方向と、その上下方向に直交する幅方向とを有し、幅方向の寸法を二等分して上下方向に延びる中心線Ｏ−Ｏに関して左右対称である。加温体１は、その上方に幅方向へ延びる上縁６を有し、その上縁６は、中心線Ｏ−Ｏを挟んで左右に均等に広がる領域に、上方に向かって凸曲線を画く凸部６ａを有する。上縁６と対向する側の下縁７は、中心線Ｏ−Ｏを挟んで左右に均等に広がる領域に、上方に向かって凸曲線を画く凹部７ａを有する。また、加温体１の右側縁８と左側縁９は、左右両側へ突出する凸曲線を画いている。【００２３】
図１に示すように、加温体１は、肌側表面２に向って中心線Ｏ−Ｏの右側に右内側加熱部１１が、中心線Ｏ−Ｏの左側に左内側加熱部１２が形成されている。右内側加熱部１１のさらに右側には、右外側加熱部１３が形成され、左内側加熱部１２のさらに左側には、左外側加熱部１４が形成されている。【００２４】
右内側加熱部１１は、区画線２１で囲まれた領域である。区画線２１は、中心線Ｏ−Ｏと平行な内側直線部２１ａと、右側傾斜基準線Ｌ１と平行な外側直線部２１ｂとを有し、さらに上方に向かって凸曲線を画く上部線部２１ｃと下方へ向かって凸曲線を画く下部線部２１ｄとを有している。左内側加熱部１２は、区画線２２で囲まれた領域である。この区画線２２も、中心線Ｏ−Ｏと平行な内側直線部２２ａ、左側傾斜基準線Ｌ２と平行な外側直線部２２ｂ、上部線部２２ｃおよび下部線部２２ｄを有している。【００２５】
右外側加熱部１３は区画線２３で囲まれた領域である。区画線２３は、右側傾斜基準線Ｌ１と平行な直線部２３ａと曲線部２３ｂとを有している。同様に、左外側加熱部１４は、区画線２４で囲まれた領域である。区画線２４は、左側傾斜基準線Ｌ２と平行な直線部２４ａと、曲線部２４ｂとを有している。【００２６】
右内側加熱部１１と左内側加熱部１２は、中心線Ｏ−Ｏに関して左右対称である。また、右外側加熱部１３と左外側加熱部１４は、中心線Ｏ−Ｏに関して左右対称である。【００２７】
加温体１は、右内側加熱部１１、左内側加熱部１２、右外側加熱部１３および左外側加熱部１４以外の領域が、発熱体３１（図２参照）を有しておらず、発熱および水蒸気の発生機能を持たない非加熱部として扱われる薄肉シート部１５である。この薄肉シート部１５では、加温体を構成しているもののうちで発熱体３１を除く各構成部材が一緒に加圧され溶着されて一体化している。この薄肉シート部１５は、右内側加熱部１１、左内側加熱部１２、右外側加熱部１３および左外側加熱部１４に比べて曲げ剛性が低くなっており、且つ曲げに対する弾性回復性を有している。また、右内側加熱部１１、左内側加熱部１２、右外側加熱部１３および左外側加熱部１４は、薄肉シート部１５で囲まれている。【００２８】
図１に示すように、右内側加熱部１１と左内側加熱部１２とに挟まれて中心線Ｏ−Ｏに沿って延びる部分には、非加熱部である薄肉シート部１５によって中央変形部１６が形成されている。また、右内側加熱部１１と右外側加熱部１３とに挟まれて右側傾斜基準線Ｌ１に沿って延びる部分には、非加熱部である薄肉シート部１５によって右側方変形部１７が形成されている。同様に、左内側加熱部１２と左外側加熱部１４とで挟まれて左側傾斜基準線Ｌ２に沿って延びる部分には、非加熱部である薄肉シート部１５によって左側方変形部１８が形成されている。【００２９】
右側方変形部１７の幅寸法および左側方変形部１８の幅寸法は、中央変形部１６の幅寸法よりも狭くなっている。右側傾斜基準線Ｌ１と左側傾斜基準線Ｌ２は、右側方変形部１７と左側方変形部１８との幅方向の中央部を通る直線であり、上方に向かうにしたがって中心線Ｏ−Ｏに徐々に接近するように傾斜しており、加温体１の外側で中心線Ｏ−Ｏと交差している。右側傾斜基準線Ｌ１と中心線Ｏ−Ｏとの成す角度θおよび左側傾斜基準線Ｌ２と中心線Ｏ−Ｏとの成す角度θは、共に１０度以上で４５度以下が好ましい。【００３０】
右側傾斜基準線Ｌ１と上縁６との交点を上部変形基準点２５ａとし、左側傾斜基準線Ｌ２と上縁６との交点を上部変形基準点２５ｂとし、上部変形基準点２５ａ，２５ｂ間の横方向の間隔をＷ１とする。また、右側傾斜基準線Ｌ１と下縁７との交点を下部変形基準点２６ａ、左側傾斜基準線Ｌ２と下縁７との交点を下部変形基準点２６ｂとし、下部変形基準点２６ａ，２６ｂ間の横方向の間隔をＷ２とする。間隔Ｗ１は間隔Ｗ２よりも短く、間隔Ｗ１は５０〜１２０ｍｍの範囲が好ましく、間隔Ｗ２は１００〜２２０ｍｍの範囲が好ましい。【００３１】
図１に示すように、前記中央変形部１６には、通気部２７が形成されている。この実施の形態では、中央変形部１６を形成する薄肉シート部１５を、肌側表面２から非肌側表面３にかけて貫通するように切り取ることによって通気部２７が形成されている。図１に示す通気部２７の形状は、中心線Ｏ−Ｏに沿って上下方向に延びる長方形である。後に図８と図９に基づいて通気部の他の実施の形態を説明するが、これら通気部が形成される領域の横方向（中心線Ｏ−Ｏと直交する方向）の幅寸法はＡであり、この領域の上下方向（中心線Ｏ−Ｏに沿う方向）の長さ寸法はＢである。また、中心線Ｏ−Ｏと下縁７との交点から通気部の下端までの距離はＤである。図１に示す通気部２７では、幅寸法Ａが通気部２７の開口幅に一致し、長さ寸法Ｂが通気部２７の開口長さに一致している。【００３２】
通気部２７の幅寸法Ａには、０ｍｍである場合が含まれる。幅寸法０ｍｍの通気部２７とは、薄肉シート部１５にスリットを入れた場合のものである。幅寸法Ａは、中央変形部１６の幅寸法Ｗ３を超えることがない。【００３３】
中央変形部１６の幅寸法Ｗ３は最大で５０ｍｍ程度が好ましい。幅寸法Ｗ３が５０ｍｍ以下であれば、右内側加熱部１１と左内側加熱部１２を鼻および口の両側において頬に当てることが可能である。したがって、通気部２７が形成される領域の幅寸法Ａは５０ｍｍを超えることがないことが好ましい。ただし、通気部２７の上下方向に延びる左右両縁部と、右内側加熱部１１または左内側加熱部１２とが接近しすぎると、これら加熱部１１，１２から顔面に供給されるべき熱や水蒸気が通気部２７を通過して外部に逃げることがあり、そのような場合には頬の肌などへの加温効果や加湿効果が低下するおそれがある。こうしたことを考慮すると、通気部２７の側縁部と区画線２１の内側直線部２１ａとの間の距離、およびその側縁部と区画線２２の内側直線部２２ａとの間の距離は、５ｍｍ以上であることが好ましく、１０ｍｍ以上であることがより好ましい。【００３４】
したがって、通気部２７が形成される領域の幅寸法Ａの最大値の好ましい値は、４０ｍｍ以下であり、さらに好ましくは３０ｍｍ以下である。【００３５】
次に、１９歳から２９歳までの日本人女性１０名の顔の寸法を測定した結果、図７に示される上唇の上縁から鼻下部までの高さ寸法Ｈ１の平均値は１３．５ｍｍ、下唇の下縁から上唇の上縁までの高さ寸法Ｈ２の平均値は１９ｍｍであった。この測定値から、加温体１は、通気部２７が形成される領域の長さ寸法Ｂが２０ｍｍ以上であれば、鼻または口を使用して楽に空気を呼吸することができる。【００３６】
また、下唇の下縁から鼻柱までの高さ寸法Ｈ３は３２．５ｍｍであったから、通気部２７の長さ寸法Ｂが３３ｍｍ以上であれば、加温体１は鼻孔と口の双方で外部の空気を吸うことができ、息苦しさを感じることがない。長さ寸法Ｂの上限に特に規定はなく、例えば長さ寸法Ｂを１００ｍｍ程度にすることもできる。また、顎の下端部から下唇の下縁までの高さ寸法Ｈ４の測定値は３７．６ｍｍであったから、図１に示す長さ寸法Ｄは、３０ｍｍ以上であることが好ましく、３５ｍｍ以上であることがより好ましい。【００３７】
図２および図３に示すように、右内側加熱部１１、左内側加熱部１２、右外側加熱部１３および左外側加熱部１４の内部には、発熱体３１が設けられている。この発熱体３１は、鉄、アルミニウム、亜鉛などの酸化しやすい金属粉と水、および金属粉を酸化させるための塩類を含んでいる。塩類は、塩化ナトリウム、塩化カリウム、塩化カルシウム、塩化マグネシウムなどである。さらに金属粉の酸化を促進させるために、活性炭、カーボンブラック、黒鉛などの炭素材料を含んでもよい。さらには、水分を長時間保持できるように、バーミキュライト、珪酸カルシウム、シリカゲル、シリカなどの保湿剤を含んでもよい。【００３８】
発熱体３１は、それに酸素が与えられると、金属粉が酸化してそのときの酸化熱によって８０℃程度またはそれ以上に上昇する。この酸化熱により、発熱体３１内の水分が蒸発し水蒸気が発生する。【００３９】
発熱体３１は、各成分を混合し、それをローラで加圧してシート状にしたものであることが好ましい。また、発熱体３１には、シートの形態を維持するために効果のある樹脂材料や接着剤、繊維などを含ませてもよい。【００４０】
図３における発熱体３１はシート状のもので、このようなシート状の発熱体３１を使用するときには、粉末状の発熱体３１を使用するときのように発熱体３１を被覆シート４５,４６（図４参照）で包む必要がない。シート状の発熱体３１の表面には温度制御層３２を直接重ね、その温度制御層３２には第１表面シート４を直接重ねることができる。この構成の加温体１であると、発熱体３１の表面全域に酸素を速やかに与えることができる。そのようにして酸素が与えられた発熱体３１は、短時間のうちに発熱し、速やかに水蒸気を発生する。発熱体３１から肌へ向かって移動する水蒸気は、その移動が被覆シート４５,４６によって妨害されることがなく、速やかに温度制御層３２と第１表面シート４とを通過して肌に供給されるため、多くの水蒸気を肌に供給できるようになる。【００４１】
図２と図３に示す実施の形態の加温体１では、第１表面シート４と発熱体３１との間に温度制御層３２が挟まれている。また、第２表面シート５と発熱体３１との間に断熱層３３が挟まれている。【００４２】
この加温体１における第１表面シート４、第２表面シート５、温度制御層３２、および断熱層３３は、加温体１の全体の形状および面積と同じ形状および面積を有している。そして、加温体１は、右内側加熱部１１、左内側加熱部１２、右外側加熱部１３および左外側加熱部１４以外の領域で、第１表面シート４、第２表面シート５、温度制御層３２、および断熱層３３が密着して薄肉シート部１５を形成している。その薄肉シート部１５では、図５に示すように、多数のエンボス部３５が形成されており、主にこのエンボス部３５において薄肉シート部１５における各構成要素が加圧加熱されて溶着し、一体化している。【００４３】
図１に示すように、エンボス部３５は細かなクロスパターンで形成されており、このエンボス部３５は、右内側加熱部１１、左内側加熱部１２、右外側加熱部１３および左外側加熱部１４以外の薄肉シート部１５の全域に形成されている。なお、エンボス部３５のパターン形状は任意であり、ドット状や波形の曲線状などであってもよい。【００４４】
第１表面シート４には、多毛シートを使用することができる。この多毛シートは、酸素および水蒸気を透過可能な基材シート４１の外面４１ａ（図３参照）、すなわち加温体使用者の肌と向かい合う表面から、多数本の短繊維４２がほぼ一様な高さで突出しているものである。この多毛シートには、織布または不織布からなる基材シート４１に、多数本の短繊維４２を埋め込んだり、または多数本の短繊維４２をそれら織布や不織布を構成する繊維に絡ませたものを使用することができるが、好ましくは植毛シートを使用する。【００４５】
植毛シートは、基材シート４１の外面４１ａに、多数本の短繊維４２を接着剤で接着固定することにより形成される。短繊維４２を接着して植毛する方法として、静電植毛法を採用することができる。この静電植毛法では、短繊維４２の表面に珪酸ソーダなどの導電性物質を塗工し、あるいは短繊維４２に前記導電性物質を練り込んで、短繊維４２を導電処理する。次に、前記基材シート４１と短繊維４２とに互いに電位差を有する電荷を与え、すなわち基材シート４１と短繊維４２との間に電圧を与えることにより、帯電した短繊維４２が基材シート４１の外面４１ａでほぼ垂直な姿勢をとり、接着剤によって外面４１ａに固定される。【００４６】
基材シート４１は、ポリエチレン（ＰＥ）、ポリプロピレン（ＰＰ），ポリエチレンテレフタレート（ＰＥＴ）、ナイロン（Ｎｙ）などの合成樹脂の少なくとも一種で形成された繊維、またはレーヨン繊維や天然繊維（例えばパルプ）などで形成された不織布であり、その不織布は、例えばスパンボンド法、ポイントボンド法、スパンレース法、スルーエア法などで形成される。【００４７】
短繊維４２は、ポリエチレン（ＰＥ）、ポリプロピレン（ＰＰ），ポリエチレンテレフタレート（ＰＥＴ）、ナイロン（Ｎｙ）などの合成樹脂の少なくとも一種で形成された繊維、またはレーヨン繊維などである。短繊維４２の繊度は０．１１〜３．３ｄｔｅｘ程度の細いものが好ましく、基材シート４１の外面４１ａからの短繊維４２の突出寸法は０．３ｍｍ以上で５ｍｍ以下が好ましく、さらには０．５ｍｍ以上で２ｍｍ以下であることが好ましい。また、基材シート４１の外面４１ａの１ｃｍ２あたりの短繊維４２の本数は、１００本〜１万本程度であるが、この範囲に限られるものではない。基材シート４１からの短繊維４２の突出寸法が前記範囲内であると、第１表面シート４が肌に接触したときに、基材シート４１と肌との間に適度な空隙を形成しやすくなる。【００４８】
温度制御層３２は、内部に独立した気泡が散在している発泡樹脂シートで形成されており、そのシートには、例えば発泡倍率が１０〜５０倍程度の発泡ポリエチレン樹脂シートまたは発泡ポリウレタン樹脂シートなどがある。温度制御層３２には、酸素と水蒸気とが通過可能な多数の貫通孔３４が形成されている。この貫通孔３４は、発熱体３１と向かい合っている内面３２ｂにおける開口径Ｄ２よりも、第１表面シート４と向かい合っている外面３２ａでの開口径Ｄ１の方が大きくなるように作られている。【００４９】
温度制御層３２は、発熱体３１から発生した水蒸気の温度を少なくとも１０℃以上低下させ、好ましくは２０℃以上低下させる厚み寸法を有しており、その厚み寸法は例えば１〜５ｍｍの範囲にある。温度制御層３２の内面３２ｂでの貫通孔３４の開口径Ｄ２は、０．１〜２ｍｍの範囲であり、好ましくは０．１〜１ｍｍの範囲である。内面３２ｂでの貫通孔３４の開口面積率は、５〜３０％程度である。【００５０】
第２表面シート５は、水蒸気を透過させない非通気性シートであるか、または、第１表面シート４よりも水蒸気の透過率が低いものである。図３，４の第２表面シート５は、エアーレイド法、スパンボンド法、ポイントボンド法などで形成された不織布５ａの内面に、ポリエチレン樹脂などで形成された非通気性樹脂フィルム５ｂがラミネートされている。【００５１】
断熱層３３は、貫通孔を有していない発泡ポリエチレン樹脂シートまたは発泡ウレタン樹脂シートであり、内部に独立した気泡が散在している。断熱層３３の厚み寸法は、０．５〜４ｍｍ程度であり、好ましくは０．５〜２ｍｍ程度である。【００５２】
図４は、実施の形態の一例である加温体１Ａの層構造を示している。この加温体１Ａでは、右内側加熱部１１、左内側加熱部１２、右外側加熱部１３および左外側加熱部１４に設けられている発熱体３１Ａが、シート状に成形されておらず、互いに独立している金属粉等の粉体を単に集合させたものであって、右内側加熱部１１、左内側加熱部１２、右外側加熱部１３および左外側加熱部１４において、発熱体３１Ａが被覆シート４５，４６で包まれている。被覆シート４５，４６は、金属粉等の粉体を通過させることなく、酸素および水蒸気を透過させることができるものであり、不織布や織布、通気性の紙、通気性の樹脂フィルムなどで形成されている。【００５３】
このように形成される加温体１は、酸素を透過させない非通気性の樹脂フィルムなどで形成された密封袋に封入されて使用者に供給される。【００５４】
その密封袋を開封して加温体１を取り出すと、右内側加熱部１１、左内側加熱部１２、右外側加熱部１３および左外側加熱部１４内に設けられた発熱体３１に大気中の酸素が供給されて、金属粉が酸化反応し、そのときの酸化熱により発熱体３１に含まれている水分が蒸発する。その水蒸気は、温度制御層３２および第１表面シート４を透過して第１表面シート４の外へ出て肌に供給されるが、第１表面シート４の反対側にある非通気性樹脂フィルム５ｂで形成されている第２表面シート５では透過を阻止されて外に出ることがない。【００５５】
図６および図７に示すように、加温体１は、肌側表面２が人体の肌に接するようにして使用される。発熱体３１は、金属粉の酸化熱により８０℃前後あるいはそれ以上の温度となるが、この発熱体３１を覆っている温度制御層３２は、内部に多数の独立気泡が形成された発泡樹脂シートであるため、発熱体３１の熱が直接に肌に伝わることがなく、肌の温度が異常に高くなるのを防止できる。【００５６】
また、発熱体３１から発生する水蒸気の温度は８０℃前後あるいはそれ以上になることがあるが、この水蒸気は、温度制御層３２の貫通孔３４を通過し、さらに第１表面シート４を透過する間に冷却されて、例えば基材シート４１の外面４１ａにおいて６０℃またはそれ以下の温度になり得る。図３に示すように、温度制御層３２には、発熱体３１と向かい合う内面３２ｂでの開口径Ｄ２が小さく、肌と向かい合う外面３２ａでの開口径Ｄ１が大きくなっている。Ｄ１／Ｄ２は、例えば１．２〜５の範囲にある。発熱体３１から発生する水蒸気は、各貫通孔３４に分散して供給され、貫通孔３４の内側では径方向に拡散する間に温度の低下が進む。また、温度制御層３２の外面３２ａでは貫通孔３４の開口径Ｄ１が広げられているため、水蒸気は第１表面シート４に沿って広く拡散する傾向にある。【００５７】
加温体１の肌側表面２では、右内側加熱部１１、左内側加熱部１２、右外側加熱部１３および左外側加熱部１４が肌側に向かって薄肉シート部１５よりも隆起しているため、加温体１を顔面などに当てると、薄肉シート部１５は肌に接触しにくく、隆起している加熱部１１，１２，１３および１４が肌に接触する。このように加熱部１１，１２，１３および１４が肌に密着しやすいため、水蒸気を肌に無駄なく供給できるようになる。これら加熱部１１，１２，１３，１４の肌側表面２を形成する第１表面シート４は、基材シート４１の外面４１ａから多数本の短繊維４２が突出している多毛シートである。第１表面シート４が多数本の短繊維４２を介して肌に当たることにより、肌が接触したときの感触がソフトなものとなる。【００５８】
また、短繊維４２が存在することにより、基材シート４１の外面４１ａと肌との間にわずかな距離の空間が形成される。よって、基材シート４１を通過する水蒸気の温度が例えば５０℃またはそれ以上であっても、水蒸気がその空間を介して肌に供給されるため肌への刺激を抑制でき、肌が高い温度を感じるのを防止できるようになる。また基材シート４１と肌との間にある水蒸気は、その空間の中で拡散する傾向にあり、この拡散によっても肌に与える熱の刺激を抑制できる。水蒸気が拡散することで、肌の表面にまんべんなく水蒸気を供給することができ、肌への加湿効果を高めることができる。【００５９】
特に、第１表面シート４が静電植毛法で形成されたものであると、多数本の短繊維４２が、基材シート４１の外面４１ａからほぼ垂直姿勢で突出するので、第１表面シート４を肌に当てたときに、短繊維４２を介して、基材シート４１と肌との間に空隙を形成しやすくなる。また、短繊維４２を基材シート４１に固着している接着剤としてウレタン系のホットメルト型接着剤を用いていると、この接着剤が耐熱性に優れているため、水蒸気の温度によって短繊維４２が脱落しにくくなる。【００６０】
このように、第１表面シート４に設けられた多数本の短繊維４２が、水蒸気の温度を低下させ、また水蒸気を拡散させる機能を発揮できるので、水蒸気の温度を下げるために特に厚い温度制御層３２を必要とするということがない。そのため、発熱体３１から発生する水蒸気を、肌に多く供給することができる。【００６１】
また、図５に示すように、右内側加熱部１１は、その周囲が区画線２１により区画されている。この区画線２１の外側には、薄肉シート部１５が形成されている。すなわち、区画線２１は、その位置よりも内側において、第１表面シート４、第２表面シート５、温度制御層３２および断熱層３３が薄肉シート部１５を形成するときのような加圧を受けていないことを示す境界線を意味している。【００６２】
右内側加熱部１１ではまた、区画線２１の内側の幅寸法Ｗａを有する内側周縁領域で、発泡樹脂シートで形成された温度制御層３２と断熱層３３とが互いに密着して存在し、発熱体３１が区画線２１に接近することを阻むように形成されている。幅寸法Ｗａは、例えば０．３〜５ｍｍの範囲である。幅寸法Ｗａの領域を設けると、発熱体３１を形成する金属粉が酸化して赤茶色の酸化物を形成したときに、その酸化物の色が区画線２１の部分に滲み出るのを防止できる。【００６３】
例えば、幅寸法Ｗａの領域に温度制御層３２と断熱層３３とが存在していないと、金属粉の酸化物（錆びの層）が、水に溶解して加圧されて繊維密度が高くなっている区画線２１の方に導かれ、右内側加熱部１１の周囲が区画線２１に沿って赤茶色を帯び、使用者がその色を直接に見ることになって、不安感、不快感を覚えることがある。しかし、図５に示す実施の形態では、区画線２１の内側で互いに密着している温度制御層３２と断熱層３３とが、酸化物を溶解して着色した水分が区画線２１に向かって流れることを防止することができる。したがって、区画線２１は、赤茶色になりにくい。【００６４】
図５の断面構造で得られる効果は、左内側加熱部１２の区画線２２、右外側加熱部１３の区画線２３、および左外側加熱部１４の区画線２４においても同様に得ることができる。【００６５】
図６は、顔面に当てた加温体１の正面図、図７はその側面図である。【００６６】
加温体１は、右内側加熱部１１、左内側加熱部１２、右外側加熱部１３および左外側加熱部１４が発熱体３１を有しており、その部分は厚さが厚くて剛性が高く、曲がりにくくなっている。ただし、右内側加熱部１１と左内側加熱部１２の間の中央変形部１６は、中心線Ｏ−Ｏを介して折れ曲がりやすくなっており、さらに右内側加熱部１１と右外側加熱部１３との間の右側方変形部１７および、左内側加熱部１２と左外側加熱部１４との間の左側方変形部１８も曲がりやすくなっている。【００６７】
したがって、右内側加熱部１１、左内側加熱部１２、右外側加熱部１３および左外側加熱部１４のそれぞれは、起伏の覆い顔面に対して、互いに拘束されることなく、独立して接触することが可能である。【００６８】
図６に示すように、加温体１をその中心線Ｏ−Ｏが鼻筋と口の中央部に一致するように顔に当てると、比較的幅の広い中央変形部１６の部分で加温体１が、鼻筋の部分から左右に折れ曲がる。さらに、上部変形基準点２５ａと上部変形基準点２５ｂとが、目の下に位置する頬骨の上部付近に位置し、下部変形基準点２６ａと下部変形基準点２６ｂとが、顎の下方の左右両側部（口よりもやや下方の左右両側部）に位置するようであると、そのときの加温体１は、右側傾斜基準線Ｌ１と左側傾斜基準線Ｌ２の部分から、顔面の起伏に倣うように折れ曲がるようになる。【００６９】
また、右内側加熱部１１と左内側加熱部１２とが、鼻の左右両側で頬部に密着可能になる。右内側加熱部１１と左内側加熱部１２とが、共に上縁６に近づくにしたがって幅寸法が徐々に小さくなる形状であることは、これら両部１１，１２が鼻の左右両側で頬部に密着することを特に容易にしている。【００７０】
さらに、右外側加熱部１３と左外側加熱部１４とは、頬の左右両側部から耳の近くにかけて密着できるようになる。【００７１】
この加温体１の上縁６では、中心線Ｏ−Ｏの部分に凸部６ａが形成されている。この凸部６ａが鼻筋に当たることにより、水蒸気を、鼻の両側部に供給することができる。【００７２】
また、中央変形部１６で上下に細長く延びている通気部２７は、少なくとも鼻孔または口のいずれかに対向できる高さ位置にあり、好ましくは鼻孔と口の双方に対向できる位置にある。そのため、通気部２７を介して外部の空気を吸いやすくなり、各加熱部１１，１２，１３，１４から顔面に対して熱や水蒸気を供給しているときに、使用者は息苦しさを感じることがない。【００７３】
図８の（ａ）ないし（ｅ）と図９の（ａ）ないし（ｅ）は、通気部２７の実施の形態を示す説明図である。【００７４】
図８の（ａ）に示す通気部２７Ａは、上下の中央部で開口幅寸法が最大値Ａとなり、上下に向かうにしたがって、開口幅寸法が小さくなる。図８の（ｂ）に示す通気部２７Ｂは、上端部での開口幅寸法が最大値Ａであり、下に向かうにしたがって開口幅寸法が徐々に小さくなる。図８の（ｂ）の実施の形態では、鼻孔に対向する部分で通気部２７Ｂの開口幅が大きいため、鼻孔での呼吸が楽である。また口の部分で通気部２７Ｂの開口幅が小さいので、口の両側の頬に供給される熱や水蒸気が通気部２７Ｂから逃げにくい。【００７５】
図８の（ｃ）に示す通気部２７Ｃでは、図８の（ａ）のものと同じ形状で寸法が小さい二つの開口部が上下に間隔を空けて配置されている。図８の（ｃ）に示す実施の形態では、上方の開口部が鼻孔に対向し、下方の開口部が口に対向することで、呼吸を楽にすることができ、また開口面積を（ａ）のそれよりも小さくすることができるから、顔面に供給すべき熱や水蒸気が加温体１の外へ逃げにくい。図８の（ｄ）に示す通気部２７Ｄは、開口幅が上端および下端において最大値Ａとなり上下の中央部で開口幅寸法が小さく絞られている。この通気部２７Ｄも、鼻孔に対向する部分と口に対向する部分の開口幅寸法が大きくて呼吸が楽であり、また幅寸法を中央部で絞っているため、顔面に供給されるべき熱や水蒸気が通気部２７Ｄから外へ逃げにくい。【００７６】
図８の（ｅ）に示す通気部２７Ｅでは、矩形の開口部が縦方向に間欠的に配置されており、図９の（ａ）に示す通気部２７Ｆでは、円形の開口部が縦方向に間欠的に配置されている。これら両実施の形態では、複数の開口部を通じて呼吸ができ、しかも開口部が連続していないので、顔面に供給されるべき熱や水蒸気が外へ逃げにくくなる。なお、加温体１では、図８の（ｅ）に示す矩形の開口部や、図９の（ａ）に示す円形の開口部の列が、複数列形成されていてもよいし、複数の開口部がジグザグ状に配置されていてもよい。【００７７】
図９の（ｂ）に示すように、通気部２７Ｇは、薄肉シート部１５を貫通するスリットで形成してもよいし、図９の（ｃ）に示す通気部２７Ｈのように、鋸歯状のスリットで形成してもよいし、波型形状のスリットで形成してもよい。さらに図９の（ｄ）に示す通気部２７Ｉのように、スリットを間欠的に形成して、水蒸気が外へ逃げることを防止してもよいし、図９の（ｅ）に示す通気部２７Ｊのように、スリットを複数列形成してもよい。【００７８】
なお、図８と図９に示す各実施の形態の通気部の寸法ＡとＢの好ましい範囲は、図１に示した実施の形態と同じである。【００８０】
また、本発明において、第２表面シート５が第１表面シート４と同様の多毛シート（植毛シート）であって、この第２表面シート５および断熱層３３が酸素および蒸気を透過できるものであってもよい。【００８１】
さらに、本発明の加温体は、温度制御層３２が水蒸気を透過しないものであって、顔面の肌に水蒸気を与えることなく、加温効果のみを与えるものであってもよい。
【図１】
0004677617.tif 000002
【図２】
0004677617.tif 000003
【図３】
0004677617.tif 000004
【図４】
0004677617.tif 000005
【図５】
0004677617.tif 000006
【図６】
0004677617.tif 000007
【図７】
0004677617.tif 000008
【図８】
0004677617.tif 000009
【図９】
0004677617.tif 000010